(57)【要約】      （修正有）【課題】またがり乗りしてくたびれた後でゆっくり座って疲れが取れる、子供だけでなく、大人も楽しめる新しいフワフワ乗り物クッションを提供することを目的とする。【解決手段】下半部座面クッション１の上にヒンジを介して上半部動物型クッション３が開閉自在に載置され、上半部動物型クッションを展開するとソファーになり得る構成とする。また、下半部座面クッションを厚くしてスツールとして使用することもでき、反対に、下半部座面クッションを薄くして座椅子として使用することもできる。また、上半部動物型クッションの動物の顔の部分が取っ手となり、ヒンジ２を中心にして上半部動物型クッションが展開できる構成とする。【選択図】図１
0003112998.tif 000002
【実用新案登録請求の範囲】
【請求項１】
下半部座面クッションの上にヒンジを介して上半部動物型クッションが開閉自在に載置され、展開してソファーになり得ることを特徴とするフワフワ乗り物クッション。
【請求項２】
前記下半部座面クッションの幅が薄く、上半部動物型クッションを展開した場合に、座椅子になり得ることを特徴とする請求項１に記載のフワフワ乗り物クッション。
【請求項３】
前記下半部座面クッションの幅が厚く、上半部動物型クッションを展開した場合に、スツールになり得ることを特徴とする請求項１に記載のフワフワ乗り物クッション。
【請求項４】
前記上半部動物型クッションの動物の顔の部分が取っ手となり、前記ヒンジを中心にして前記上半部動物型クッションが展開できることを特徴とする請求項１乃至３のいずれかに記載のフワフワ乗り物クッション。
【請求項５】
前記ヒンジが前記上半部動物型クッションの動物の尻尾として配設されていることを特徴とする請求項１乃至４のいずれかに記載のフワフワ乗り物クッション。
【考案の詳細な説明】
【技術分野】
【０００１】
本考案は、フワフワ乗り物クッションにかかわるもので、特に、馬や象、らくだなどといった背中に乗りたい動物の乗り物形状をしたクッションに関するものである。
【背景技術】
【０００２】
従来、馬や象、らくだなどといった背中に乗りたい動物の形状をした乗り物としては、子供用乗り物遊具として木馬が知られている。また、馬や象、らくだなどの動物の形状をしたクッションとして動物ぬいぐるみ等が知られている。
【０００３】
また、座椅子をクッションと兼用して利用することができるような構造としたクッション兼用座椅子が知られている（例えば、特許文献１，特許文献２）。これらのクッション兼用座椅子は、折りたたまれた時にファスナー等で全周を閉じることによりクッションとして使用出来るものである。
【０００４】
【特許文献１】特開２００３−２４１６８号公報
【特許文献２】特開２００３−２３５６８３号公報
【考案の開示】
【考案が解決しようとする課題】
【０００５】
従来の動物の形状をした子供用乗り物遊具は、動物にまたがって乗るスタイルなので、長い間、またがり乗りをすると、脚が痛くなってくるという問題点があった。子供が疲れて横たわるのに、枕として利用するには高さが高すぎ、乗り物遊具に背もたれる場合には、他に座布団などに敷き具を必要としていた。
また、クッション兼用座椅子は、ファスナー等で全周を閉じる必要性からクッションの形状に制約があり、馬や象、らくだなどといった動物の乗り物形状といったものは存在しなかった。
【０００６】
本考案は、上記のような問題点を鑑みてなされたものであり、その目的とするところは、またがり乗りしてくたびれた後で、ゆっくり座って疲れが取れる、フワフワ乗り物クッションを提供することを目的とする。
また、子供だけでなく、大人も楽しめる新しい乗り物クッションを提供する。
【課題を解決するための手段】
【０００７】
本考案者は、デザイナーであり、デザイン的観点から乗り物クッションの部屋の景観との調和と実用性等の様々な検討を行い、改良を重ねた結果、本考案を完成した。
上記目的を達成するために、本考案に係るフワフワ乗り物クッションでは、下半部座面クッションの上にヒンジを介して、上半部動物型クッションを開閉自在に載置し、展開して下半部座面クッションの上にゆっくり座ることのできるようにしたものである。
そして、展開時にソファーになっても、座椅子になってもよく、スツールになってもよいものである。
【０００８】
本考案の第１の観点によれば、下半部座面クッションの上にヒンジを介して上半部動物型クッションが開閉自在に載置され、展開してソファーになりうることを特徴とするフワフワ乗り物クッションが提供される。
【０００９】
本考案の第２の観点によれば、下半部座面クッションの上にヒンジを介して上半部動物型クッションが開閉自在に載置され、下半部座面クッションの幅が薄く、展開して座椅子になりうることを特徴とするフワフワ乗り物クッションが提供される。
【００１０】
本考案の第３の観点によれば、下半部座面クッションの上にヒンジを介して上半部動物型クッションが開閉自在に載置され、下半部座面クッションの幅が厚く、展開してスツールになりうることを特徴とするフワフワ乗り物クッションが提供される。
【００１１】
本考案の第４の観点によれば、上記第１〜３のいずれかの観点において、上半部動物型クッションの動物の顔の部分が取っ手となり、ヒンジを中心にして上半部動物型クッションが展開できることを特徴とするフワフワ乗り物クッションが提供される。
【００１２】
本考案の第５の観点によれば、上記第１〜４のいずれかの観点において、ヒンジが上半部動物型クッションの動物の尻尾として配設されていることを特徴とするフワフワ乗り物クッションが提供される。上半部動物型クッションを開閉自在に展開するためのヒンジは金具で構成されるため、動物の尻尾として配設することにより、動物の形状と一体感をもたせることにしたものである。
【００１３】
本考案に係るフワフワ乗り物クッションは、上半部動物型クッションを、ヒンジを中心にして展開させることで、ソファーや座椅子やスツールに容易に変形することができる。また逆に、ソファーや座椅子やスツールから、元の動物型クッションに容易に戻すことができるのである。
フワフワ乗り物クッションにおける上半部動物型クッションは、部屋においてあったら思わず、腰掛けて座ってしまいそうな馬や象やらくだなどといった背中に乗りたい動物の乗り物形状とする。
【考案の効果】
【００１４】
本考案に係るフワフワ乗り物クッションは、上述の通り構成されているので、次に記載する効果を奏する。
またがり乗りで、遊び疲れたあと、下半部座面クッション１に載っている上半部動物型クッション３を、ヒンジ２を中心にして展開し、ソファー形状に変身させて、ゆったり座り、身体を癒すことができる。
【００１５】
また、下半部座面クッションを薄くして座椅子形状としても良い。和室に好適となる。
【００１６】
また、下半部座面クッションを厚くしてスツール形状としても良い。揺れを楽しめる。
【００１７】
なお、本考案に係るフワフワ乗り物クッションの形状は、動物の乗り物形状のみならず、飛行機型や自動車型、新幹線型などの乗り物形状でもよく、またがり乗りできるものならどのような形状でもかまわない。
【考案を実施するための最良の形態】
【００１８】
以下、本考案を実施するための最良の形態を図面に基づいて説明する。
【実施例１】
【００１９】
（馬の形状のフワフワ乗り物クッション）
実施例１について図面を参照して説明する。図１（ａ）は、馬の形をしたフワフワ動物型乗り物クッションの外観図を示す。図１（ｂ）は、フワフワ動物型乗り物クッションの上半部動物型クッションを展開してソファーにした様子を示している。ここで、１は下半部座面クッションであり、厚みがあり、沈み込みが大きく、座り心地がよいように作られている。２はヒンジであり、ここを中心にして展開し、また、閉じるようになされている。展開して座椅子形状になった状態では３段階に傾斜できるようになされている。３は、上半部動物型クッションであり、馬の形態となされている。前記ヒンジ２を介して、開閉可能に、下半部座面クッション１に載置されている。
【００２０】
図２は、図１の馬の形状のフワフワ動物型乗り物クッションにおいて、上半部動物型クッションを展開し開いた状態、すなわちソファーとして使用する状態の形態を示し、（a）は正面図、（b）は側面図、（c）は背面図、（d）は平面図、（e）は底面図である。
【００２１】
図３は、図１の馬の形状のフワフワ動物型乗り物クッションにおいて、上半部動物型クッションを閉じた状態、すなわち動物の形状をした子供用乗り物遊具として使用する状態の形態を示し、（a）は正面図、（b）は側面図、（c）は背面図、（d）は平面図、（e）は底面図である。
【実施例２】
【００２２】
（象の形状のフワフワ乗り物クッション）
図４（ａ）は、象の形をした、フワフワ動物型乗り物クッションの外観図を示す。また、図４（ｂ）は、フワフワ動物型乗り物クッションの上半部動物型クッションを展開してソファーにした様子を示している。各部位の内容については実施例１と同様であり説明を省略する。
図５は、図４の象の形状のフワフワ動物型乗り物クッションにおいて、上半部動物型クッションを展開し開いた状態、すなわちソファーとして使用する状態の形態を示し、（a）は正面図、（b）は側面図、（c）は背面図、（d）は平面図、（e）は底面図である。
図６は、図４の象の形状のフワフワ動物型乗り物クッションにおいて、上半部動物型クッションを閉じた状態、すなわち動物の形状をした子供用乗り物遊具として使用する状態の形態を示し、（a）は正面図、（b）は側面図、（c）は背面図、（d）は平面図、（e）は底面図である。
【実施例３】
【００２３】
（らくだの形状のフワフワ乗り物クッション）
図７（ａ）は、らくだの形をした、フワフワ動物型乗り物クッションの外観図を示す。また、図７（ｂ）は、フワフワ動物型乗り物クッションの上半部動物型クッションを展開してソファーにした様子を示している。各部位の内容については実施例１と同様であり説明を省略する。
図８は、図７のらくだの形状のフワフワ動物型乗り物クッションにおいて、上半部動物型クッションを展開し開いた状態、すなわちソファーとして使用する状態の形態を示し、（a）は正面図、（b）は側面図、（c）は背面図、（d）は平面図、（e）は底面図である。
図９は、図７のらくだの形状のフワフワ動物型乗り物クッションにおいて、上半部動物型クッションを閉じた状態、すなわち動物の形状をした子供用乗り物遊具として使用する状態の形態を示し、（a）は正面図、（b）は側面図、（c）は背面図、（d）は平面図、（e）は底面図である。
【産業上の利用可能性】
【００２４】
本考案に係るフワフワ乗り物クッションは、子供用乗り物遊具として、また、動物形状のクッションとして、さらには、上半部動物型クッションを、ヒンジを中心にして展開させることで、ソファーや座椅子やスツールとして利用できる。
【図面の簡単な説明】
【００２５】
【図１】（ａ）は、馬の形をしたフワフワ動物型乗り物クッションの外観図を示す。（ｂ）は、フワフワ動物型乗り物クッションの上半部動物型クッションを展開してソファーにした様子を示す。
【図２】馬の形状のフワフワ動物型乗り物クッションにおいて、上半部動物型クッションを展開し開いた状態、すなわちソファーとして使用する状態の形態を示し、（a）は正面図、（b）は側面図、（c）は背面図、（d）は平面図、（e）は底面図である。
【図３】馬の形状のフワフワ動物型乗り物クッションにおいて、上半部動物型クッションを閉じた状態、すなわち動物の形状をした子供用乗り物遊具として使用する状態の形態を示し、（a）は正面図、（b）は側面図、（c）は背面図、（d）は平面図、（e）は底面図である。
【図４】（ａ）は、象の形をした、フワフワ動物型乗り物クッションの外観図を示す。（ｂ）は、フワフワ動物型乗り物クッションの上半部動物型クッションを展開してソファーにした様子を示す。
【図５】象の形状のフワフワ動物型乗り物クッションにおいて、上半部動物型クッションを展開し開いた状態、すなわちソファーとして使用する状態の形態を示し、（a）は正面図、（b）は側面図、（c）は背面図、（d）は平面図、（e）は底面図である。
【図６】象の形状のフワフワ動物型乗り物クッションにおいて、上半部動物型クッションを閉じた状態、すなわち動物の形状をした子供用乗り物遊具として使用する状態の形態を示し、（a）は正面図、（b）は側面図、（c）は背面図、（d）は平面図、（e）は底面図である。
【図７】（ａ）は、らくだの形をした、フワフワ動物型乗り物クッションの外観図を示す。（ｂ）は、フワフワ動物型乗り物クッションの上半部動物型クッションを展開してソファーにした様子を示す。
【図８】らくだの形状のフワフワ動物型乗り物クッションにおいて、上半部動物型クッションを展開し開いた状態、すなわちソファーとして使用する状態の形態を示し、（a）は正面図、（b）は側面図、（c）は背面図、（d）は平面図、（e）は底面図である。
【図９】らくだの形状のフワフワ動物型乗り物クッションにおいて、上半部動物型クッションを閉じた状態、すなわち動物の形状をした子供用乗り物遊具として使用する状態の形態を示し、（a）は正面図、（b）は側面図、（c）は背面図、（d）は平面図、（e）は底面図である。
【符号の説明】
【００２６】
１  下半部座面クッション
２  ヒンジ
３  上半部動物型クッション
【図１】
0003112998.tif 000003
【図２】
0003112998.tif 000004
【図３】
0003112998.tif 000005
【図４】
0003112998.tif 000006
【図５】
0003112998.tif 000007
【図６】
0003112998.tif 000008
【図７】
0003112998.tif 000009
【図８】
0003112998.tif 000010
【図９】
0003112998.tif 000011